(57)【要約】【課題】複数の空調機に対して、効率的に運転制御の設定を行うことができる空調機の制御装置を得る。【解決手段】  空調機を制御する空調機制御装置を、各空調機（３０１、３０２、３０３）の出力の複数の運転パターンを保存する運転設定データベース（１２２、１２３、１２４）と、空調機の所定の時間帯の運転パターンとして運転設定データベースに保存された複数の運転パターンのうちのいずれかの運転パターンを選択して入力する入力部と、入力部により入力された所定の時間帯の運転パターンを保存する運転スケジュールデータベース（１２０）と、運転スケジュールデータベースに保存された時系列の運転パターンにしたがって空調機に制御信号を送信する制御信号送信部（１３１）とを備えるものとする。【選択図】  図１
2007183035.tif 000002
【特許請求の範囲】
【請求項１】
空調機を制御する空調機制御装置において、各空調機の運転能力の複数の運転パターンを保存する運転パターン設定データベースと、前記空調機の所定の時間帯の運転パターンとして前記運転パターン設定データベースに保存された複数の運転パターンのうちのいずれかの運転パターンが選択され入力される入力部と、前記入力部に入力された所定の時間帯の運転パターンを保存する運転スケジュールデータベースと、前記運転スケジュールデータベースに保存された所定の時間帯の運転パターンにしたがって空調機に制御信号を送信する制御信号送信部とを備えることを特徴とする空調機制御装置。
【請求項２】
請求項１において、前記空調機の運転能力は運転出力であることを特徴とする空調機制御装置。
【請求項３】
請求項１において、前記空調機は室外機であることを特徴とする空調機制御装置。
【請求項４】
空調機を制御する空調機制御方法において、各空調機の運転能力の複数の運転パターンを運転設定データベースに保存する手順と、前記空調機の所定の時間帯の運転パターンとして前記運転設定データベースに保存された複数の運転パターンから選択された入力を入力部から受け付ける手順と、前記入力部から受け付けた所定の時間帯の運転パターンの入力を運転スケジュールデータベースに保存する手順と、前記運転スケジュールデータベースに保存された所定の時間帯の運転パターンにしたがって空調機に制御信号を送信する手順とを有することを特徴とする空調機制御方法。
【請求項５】
請求項４において、前記空調機は室外機であることを特徴とする空調機制御方法。
【発明の詳細な説明】
【技術分野】
【０００１】
本発明は、空調機の制御装置及び制御方法に関し、特に多数の空調機を制御するのに好適な制御装置及び制御方法に関するものである。
【背景技術】
【０００２】
空調機を制御するコントローラとして、例えば特開２００５−４９０３９号公報（以下、特許文献１）が知られている。特許文献１には、空気調和機の風量、運転周波数の設定を時系列で行う空調機の制御コントローラが記載されている。
【０００３】
【特許文献１】特開２００５−４９０３９号公報（特に図３、図４）
【発明の開示】
【発明が解決しようとする課題】
【０００４】
しかしながら、特許文献１の制御コントローラでは、特定の空調機に対して、風量、運転周波数の設定を行う方法が記載されているのみで、複数の空調機に対して効率的に運転制御の設定をすることについては考慮されていない。このような設定方法では、管理者が多数の空調機に対して運転制御の設定を行う際に、各空調機に対して各時間帯に運転制御の設定を行う必要があり、設定に非常に手間がかかるという課題が生じる。
【０００５】
本発明の目的は、複数の空調機に対して、効率的に運転制御の設定を行うことができる空調機の制御装置を得ることにある。
【課題を解決するための手段】
【０００６】
本発明の一つの特徴は、空調機を制御する空調機制御装置を、各空調機の出力の複数の運転パターンを保存する運転設定データベースと、空調機の所定の時間帯の運転パターンとして運転設定データベースに保存された複数の運転パターンのうちのいずれかの運転パターンを選択して入力する入力部と、入力部により入力された所定の時間帯の運転パターンを保存する運転スケジュールデータベースと、運転スケジュールデータベースに保存された時系列の運転パターンにしたがって空調機に制御信号を送信する制御信号送信部とを備えるものとした点にある。
【０００７】
また、本発明の他の特徴は、空調機を制御する空調機制御方法を、各空調機の出力の複数の運転パターンを運転設定データベースに保存する手順と、空調機の所定の時間帯の運転パターンとして運転設定データベースに保存された複数の運転パターンから選択された選択を入力部から受け付ける手順と、入力部から受け付けた所定の時間帯の運転パターンの選択を運転スケジュールデータベースに保存する手順と、運転スケジュールデータベースに保存された所定の時間帯の運転パターンにしたがって空調機に制御信号を送信する手順とを有するものとした点にある。
【発明の効果】
【０００８】
本発明によれば、多数の空調機の運転スケジュールを設定する際にも、運転設定データベースに保存された典型的な運転パターンを所定の時間帯について選択して設定すればよいので、各空調機ごとに個別に運転スケジュールを設定することなく容易に運転スケジュールの設定ができる。
【発明を実施するための最良の形態】
【０００９】
以下本発明の実施例を図面に基づいて詳細に説明する。
図１は、空調機制御装置全体構成図である。大別すると、空調管理装置本体(１００)、Ｗｅｂ端末(２０１)とインターネット又はイントラネット伝送網(２００)、監視・制御対象となる空調機伝送路(３００)で構成される。
【００１０】
空調機制御装置本体(１００)は空調機伝送路(３００)と空調用伝送路(４０１)で接続している。この伝送路(４０１)は空調機の室外機(３０１)と室内機(３０２)間の制御情報を交換するために使用している伝送路と同じ伝送路を利用している。
【００１１】
空調機制御装置本体(１００)には、空調機の運転データや制御データを記録している空調機データベース(１１０)、空調機伝送路へ送受信するための空調機伝送用通信ドライバ(１３２)及び空調機伝送回路(１３１)を介して、空調用伝送路に接続している機器へ電文を送受信して空調機の運転データベースに記録を実施するデータベース処理エンジン(１３０)、通常の運転制御スケジュールを実施データやそれとは別に省エネ運転制御専用の運用スケジュールや各省エネ運転条件の詳細を設定してあるスケジュールデータベース(１２０)、空調管理システム本体(１００)とイーサネット（米国ＸＥＲＯＸ社の登録商標）通信で送受信するためのイーサネット通信ドライバ(１４１)、インターネット又はイントラネット伝送網(２００)に接続しているＷｅｂ端末(２０１)に対して入力の受け付け表示要求に対して応答を実施するＷｅｂサーバ処理(１４０)、スケジュールデータベース(１２０)に登録してあるデータを元に所定の時間にスケジュールを実施することを管理するスケジュール管理処理(１５０)から構成されている。本実施例では、通常の運転スケジュールを任意の時刻に動作させるスケジュール、省エネスケジュールを任意時刻から任意の時刻までの任意の期間に動作させるスケジュールとする。
【００１２】
Ｗｅｂサーバ処理部(１４０)は、空調機データベース(１１０)にアクセスすることで、空調機の監視・制御を実現する。空調機のデータが必要な場合は、空調機データべース(１１０)の運転状態データ領域(１１１)を読むことにより入手可能である。空調機に対して制御が必要な場合は、空調機データべース(１１０)の運転設定データ領域(１１２)へ任意の制御内容を書込むことにより制御可能となる。
【００１３】
Ｗｅｂ端末(２０１)からの運転パターン設定は、Ｗｅｂサーバ処理部(１４０)が、スケジュールデータベース(１２０)の運転パターン設定データベース１(１２３)に運転設定パターンを保存することにより行う。保存する内容は例えば、Ｗｅｂ端末(２０１)に表示される図２のような運転パターン設定画面(５００)に示すような内容である。図２の画面は、室外機(３０１)の運転能力（出力）を制限する設定の登録内容であり、運転負荷の状況に応じてレベル１(５０１)〜レベル３(５０３)までの各室外機に対しての運転の能力（出力）を何％で運転するかの設定やその設定をどの室外機に対して実施するかなどの設定を実施してから登録(５０４)を実施することで、Ｗｅｂサーバ処理(１４０)が、スケジュールデータベース(１２０)の運転パターン設定データベース１(１２３)に対してこれらの内容を記録する。
また、例えば一定の期間設定温度を運転負荷が下がる方向の設定温度に変更する処理を設定した空調機の運転グループに対してグループ毎に一定の時間間隔で、順番に制御してゆくローテーション制御等の設定内容を前述の方法と同様な入力方式で登録すると、Ｗｅｂサーバ処理部(１４０)が、スケジュールデータベース(１２０)、運転パターン設定データベース２(１２４)に対してこれらの内容を記録する。
【００１４】
さらに、別の省エネ運転設定として、一定の温度幅に対しては自由に設定温度を変更可能な状態として、その上下限を超える設定温度に変更しようとした場合は、設定温度を元に戻す、設定温度上下限制御の制御対象や上下限の範囲等を前述した方法と同様な入力方式で登録すると、Ｗｅｂサーバ処理部(１４０)が、スケジュールデータベース(１２０)の運転パターン設定データ３(１２５)に対してこれらの内容を記録する。
【００１５】
そして、これらの複数の運転パターンの制御（省エネ運転制御）を、１日の中でどの時刻にどの省エネ運転制御を実施するという運転スケジュールを図３のような省エネ運転制御スケジュール画面（入力部）(６００)から各省エネ運転パターン１(６０１)〜３(６０３)のどれにするかを選択・入力し、例えば月曜日の時間軸(６０４)上に選択した運転パターン(６０５)をクリックして時間を決定する。最後に登録(６０６)を実施することで、Ｗｅｂサーバ処理部(１４０)が、スケジュールデータベース(１２０)の省エネ制御スケジュールデータ(１２２)に対してこれらの内容を保存する。
【００１６】
これらの登録されたスケジュールは、スケジュール管理処理部(１５０)が省エネ制御スケジュールデータ(１２２)をチェックして、登録した時刻になったら、登録してある省エネ運転設定を実施するため、省エネ運転設定データ(１２３)〜(１２５)を参照して運転設定データ(１１２)に所定の制御内容を書き込む。
一方データベース処理エンジン(１３０)は、運転設定データベースの内容に従い、所定の空調機に対して、制御電文（制御信号）を制御信号送信部により送信することで、省エネ運転制御が実現する。
【００１７】
上記実施例では、室外機に対する制御について記載したが、室内機に同様の制御を行うこともできる。
【図面の簡単な説明】
【００１８】
【図１】本発明の実施例の空調機制御装置の構成図。
【図２】本発明の実施例の運転パターン設定画面を示す図。
【図３】本発明の実施例の運転制御スケジュール設定画面を示す図。
【符号の説明】
【００１９】
100…空調管理システム本体、110…空調機データベース、111…運転状態データ領域、112…運転設定データ領域、120…スケジュールデータベース、121…スケジュールデータ、122…省エネ制御スケジュールデータ、123…省エネ運転設定データ１、124…省エネ運転設定データ２、125…省エネ運転設定データ３、130…データベース処理エンジン、131…空調機伝送回路、132…空調機伝送用通信ドライバ、140…Ｗｅｂサーバ処理、141…イーサネット通信ドライバ、150…スケジュール管理処理、200…インターネット又はイントラネット伝送網、201…Ｗｅｂ端末路、300…空調機伝送路、301…室外機、302…室内機、303…冷凍機又はチラーユニット、500…省エネ運転設定画面、501…レベル１設定、502…レベル２設定、503…レベル３設定、504…登録ボタン、600…省エネ運転制御スケジュール画面、601…各省エネ運転パターン１、602…各省エネ運転パターン２、603…各省エネ運転パターン３、604…月曜日の時間軸、605…運転パターン、606…登録ボタン。
【図１】
2007183035.tif 000003
【図２】
2007183035.tif 000004
【図３】
2007183035.tif 000005